(57)【要約】【課題】耳への装着感が良好な音響装置を提供する。【解決手段】音響装置は、左右の耳にそれぞれ装着される一対の球形の耳装着体と、両耳装着体を互いに連結する紐状体と、を有する。紐状体は、前記耳装着体の球形の表面から直に延びている。耳装着体は、音響ユニットと、皮膚接触部材と、介在部材と、を有する。音響ユニットは、少なくともその放音部及び側部が前記皮膚接触部材で覆われている。皮膚接触部材は、柔軟性、弾力性及び通気性を有し、且つ、音を透過させる部材である。介在部材は、皮膚接触部材と音響ユニットとの間に存在して、皮膚接触部材との間の摩擦力により音響ユニットと皮膚接触部材との相対移動を難くする。皮膚接触部材が外耳道に嵌まることにより、音響ユニットが当該外耳道の内壁から離して支持される。【選択図】図４
2019080338.tif 000002
【特許請求の範囲】
【請求項１】
左右の耳にそれぞれ装着される一対の球形の耳装着体と、
両耳装着体を互いに連結する紐状体と、を有し、
前記紐状体は、前記耳装着体の表面から延びており、
前記耳装着体は、
音響ユニットと、皮膚接触部材と、介在部材と、を有し、
前記音響ユニットは、その放音部及び側部が前記皮膚接触部材で覆われており、
前記皮膚接触部材は、柔軟性、弾力性及び通気性を有し、且つ、音を透過させる部材であり、
前記介在部材は、前記音響ユニットに環装されて、前記皮膚接触部材と前記音響ユニットとの間に存在し、前記皮膚接触部材との間の摩擦力により前記音響ユニットと前記皮膚接触部材との相対移動を難くし、
前記皮膚接触部材が外耳道に嵌まることにより、前記音響ユニットが当該外耳道の内壁から離して支持される、音響装置。
【請求項２】
前記一対の球形の耳装着体は、互いに同形状且つ同寸法である、請求項１の音響装置。
【請求項３】
前記皮膚接触部材の外面は、前記耳装着体の表面の大部分を占める、請求項１又は２の音響装置。
【請求項４】
前記皮膚接触部材は、スポンジ材からなる、請求項１乃至３のいずれかの音響装置。
【請求項５】
前記介在部材は、前記エラストマでできている、請求項１乃至４のいずれかの音響装置。
【請求項６】
前記紐状体は、導線を有するコードである、請求項１乃至５のいずれかの音響装置。
【請求項７】
前記紐状体の中間部には、コントローラが設けられている、請求項６の音響装置。
【請求項８】
前記コントローラは、
前記コードの長さ方向中心部をユーザの頸部の基部後方に配置して、前記一対の耳装着体を当該ユーザの左右の耳にそれぞれ装着した状態において、当該ユーザの一方の肩に載せ得るように、前記コードの長さ方向中心から片寄った位置に設けられている、請求項７の音響装置。
【請求項９】
前記一対の耳装着体は、両耳装着体同士を磁力で連結させるための磁性体を備えている、請求項１乃至８のいずれかの音響装置。
【発明の詳細な説明】
【技術分野】
【０００１】
本開示は、耳に装着して使用する音響装置に関する。
【背景技術】
【０００２】
耳に装着して使用する音響装置として、イヤホンが多数商品化されている。
イヤホンは、インナーイヤー型イヤホン（イントラコンカ型イヤホン、オープンエア型イヤホン、等とも称される）とカナル型（耳栓型）イヤホンとに大別される。
【０００３】
図７に示すように、インナーイヤー型イヤホン９１は、電気音響変換素子９１１を内蔵したハウジング９１２を、耳珠８１と対耳珠８２とに囲まれた窪み部分（耳甲介腔）８３に嵌めて使用する。
【０００４】
図８に示すように、カナル型イヤホン９５は、電気音響変換素子９５１を内蔵したハウジング９５２と、ハウジング９５２から突出した音導管９５３と、音導管９５３の周りに装着されたイヤピース９５４と、を備えている。カナル型イヤホン９５は、イヤピース９５４を外耳道８４に挿入して使用する。また、多くのカナル型イヤホン９５は、耳甲介腔８３にハウジング９５２が嵌まる。
【発明の概要】
【発明が解決しようとする課題】
【０００５】
硬いハウジングが耳に接触する構造のイヤホンは、長時間使用すると、ハウジングと接触している箇所が痛くなり易い。この問題は、インナーイヤー型イヤホン９１とカナル型イヤホン９５のどちらにも共通する問題である。カナル型イヤホン９５は、イヤピース９５４で外耳道８４を密閉するため、装着感が良くない。
【課題を解決するための手段】
【０００６】
一実施形態の音響装置は、耳に装着して使用する音響装置である。
前記音響装置は、左右の耳にそれぞれ装着される一対の球形の耳装着体と、
両耳装着体を互いに連結する紐状体と、を有し、
前記紐状体は、前記耳装着体の表面から延びており、
前記耳装着体は、
音響ユニットと、皮膚接触部材と、介在部材と、を有し、
前記音響ユニットは、その放音部及び側部が前記皮膚接触部材で覆われており、
前記皮膚接触部材は、柔軟性、弾力性及び通気性を有し、且つ、音を透過させる部材であり、
前記介在部材は、前記音響ユニットに環装されて、前記皮膚接触部材と前記音響ユニットとの間に存在し、前記皮膚接触部材との間の摩擦力により前記音響ユニットと前記皮膚接触部材との相対移動を難くし、
前記皮膚接触部材が外耳道に嵌まることにより、前記音響ユニットが当該外耳道の内壁から離して支持される。
【図面の簡単な説明】
【０００７】
【図１】第１実施形態の音響装置の正面図
【図２】図１に示す音響装置が備える耳装着体の断面図
【図３】図１に示す音響装置が備える無線モジュールの機能ブロック図
【図４】図１に示す音響装置の装着態様を例示する断面図
【図５】第２実施形態の音響装置が備える耳装着体の断面図
【図６】第３実施形態の音響装置の正面図
【図７】インナーイヤー型イヤホンを耳に装着した状態を示す図
【図８】カナル型イヤホンを耳に装着した状態を示す図
【発明を実施するための形態】
【０００８】
［第１実施形態］
図１乃至図４には、耳８０に装着して使用する音響装置の範疇に含まれるイヤホンの一実施形態が示されている。
(イヤホン)
図１に示すように、第１実施形態のイヤホン１Ａは、左右の耳８０にそれぞれ装着される一対の球形の耳装着体１０Ａ、１０Ｂと、両耳装着体１０Ａ、１０Ｂを互いに連結する紐状体２０と、を有する。本明細書において、「球形」とは、自然状態において球形であることを意味する。「球形」とは、略球形を含む意味である。略球形には、表面の大部分が球面であり、残りの一部分が非球面又は当該大部分の球面とは曲率が異なる球面である形状が含まれる。「球面」は、材質に起因する微少な孔や凹凸を有する球状面を含む意味である。「自然状態」とは、外圧が加わっていない状態（例えば、未使用状態、非装着状態、等）或いは外圧が解かれて十分な時間が経過した状態を意味する。
【０００９】
紐状体２０は、両耳装着体１０Ａ、１０Ｂの球形の表面Ｓから延びている。本明細書において、「球形の表面から延びている」とは、球形の表面から直に延びていること、換言すれば、明らかな突起部を介さずに延びていること、を含む意味である。明らかな突起部の例として、スリーブ、ケーシングの突起部、等、を挙げることができる。
【００１０】
紐状体２０は、導線２０１（図２参照）を有するコードである。
紐状体２０の中間部には、コントローラ３０が設けられている。コントローラ３０は、バッテリ３１と無線モジュール３２とを備える。コントローラ３０は、扁平な略直方体の部材である。
【００１１】
コントローラ３０は、紐状体２０の長さ方向中心部をユーザの頸部の基部後方に配置して、両耳装着体１０Ａ、１０Ｂを当該ユーザの左右の耳８０（図４参照）にそれぞれ装着した状態において、当該ユーザの一方の肩に載せ得るように、紐状体２０の長さ方向中心から片寄った位置に設けられている。すなわち、この例では、紐状体２０は、一方の耳装着体１０Ａとコントローラ３０とを結ぶ短尺部２０Ａと、他方の耳装着体１０Ｂとコントローラ３０とを結ぶ長尺部２０Ｂと、からなる。
【００１２】
両耳装着体１０Ａ、１０Ｂの構成は互いに共通している。以下、両耳装着体１０Ａ、１０Ｂを区別せず、耳装着体１０として説明する。
【００１３】
（耳装着体）
図２に示すように、耳装着体１０は、音響ユニット１１と、皮膚接触部材としてのキャップ１２と、介在部材としてのバッフルチューブ１３と、を有する。
【００１４】
（音響ユニット）
音響ユニット１１は、第２エンクロージャとしてのユニットケーシング１１１と、ドライバユニット１１２と、を有する。
【００１５】
ユニットケーシング１１１は、アルミ板を絞り加工してなる一体成形品である。ユニットケーシング１１１は、フロント部１１１ｆと、リア部１１１ｒと、を有する。
【００１６】
フロント部１１１ｆは、前方（外耳道８４へ挿入する向き）に開いた半球殻構造になっている。リア部１１１ｒは、後方（外耳道８４へ挿入する向きとは逆向き）に開いた半球殻構造になっている。フロント部１１１ｆとリア部１１１ｒとは、中間部（括れ部）１１１ｍを介して同軸状に接続されている。フロント部１１１ｆの外径は、リア部１１１ｒの外径よりも大きい。
【００１７】
フロント部１１１ｆの先端（図示左端）１１１ａには、プロテクタ１１３が取り付けられている。プロテクタ１１３は、フロント部１１１ｆと略対称の半球殻状の部材である。プロテクタ１１３とフロント部１１１ｆとが組み合わされて球殻を成している。プロテクタ１１３は、メッシュ状の金属製の部材である。プロテクタ１１３は、音声を良好に透過させる。プロテクタ１１３は、音響ユニット１１の放音部１１ａをなす。
【００１８】
フロント部１１１ｆの先端側内周には、ドライバユニット１１２が嵌合する嵌合部１１１ｂが設けられている。
【００１９】
ドライバユニット１１２は、電気音響変換素子１１２１と、第１エンクロージャとしてのドライバケーシング１１２２と、を有する。電気音響変換素子１１２１の先端（図示左端）には、振動板１１２１ａが設けられている。振動板１１２１ａの背後（図示右側）には、入力電気信号を振動板１１２１ａの振動に変換する電気機械結合系１１２１ｂが設けられている。電気機械結合系１１２１ｂは、ボイスコイル、マグネット、等で構成される。振動板１１２１ａの振動が空気振動すなわち音として放出される。振動板１１２１ａは、ドライバユニット１１２の放音部をなす。電気音響変換素子１１２１は、ドライバケーシング１１２２に収容されている。
【００２０】
ドライバケーシング１１２２は、円筒部１１２２ａと、端板部１１２２ｂ、とからなる。円筒部１１２２ａは、電気音響変換素子１１２１を包囲している。電気音響変換素子１１２１の振動板１１２１ａは、円筒部１１２２ａの前端（図示左端）から露出している。電気機械結合系１１２１ｂの駆動軸は円筒部１１２２ａの中心軸と同軸上に配置されている。円筒部１１２２ａの後端は、端板部１１２２ｂで塞がれている。端板部１１２２ｂには、電気音響変換素子１１２１の一対の端子（図示省略）が挿入される貫通孔（図示省略）が設けられている。電気音響変換素子１１２１の一対の端子（図示省略）は、貫通孔（図示省略）を貫通している。これにより、ドライバケーシング１１２２の基端（図示右端）に、電気音響変換素子１１２１の一対の端子（図示省略）が配置されている。当該端子（図示省略）の先端部に、紐状体２０の導線２０１の一端が半田付け２０２により接続されている。
【００２１】
ドライバケーシング１１２２は、電気音響変換素子１１２１の振動板１１２１ａと共に第１共鳴室４１を形成する。端板部１１２２ｂには、ポート（通気孔）１１２２ｃが設けられている。ポート１１２２ｃは、端板部１１２２ｂの内面及び外面に開口している。
【００２２】
ドライバケーシング１１２２は、円筒部１１２２ａがフロント部１１１ｆの嵌合部１１１ｂに嵌合することにより、フロント部１１１ｆ内に安定に保持されている。この例では、ドライバケーシング１１２２の円筒部１１２２ａ及び後端（図示右端）の周縁部が、フロント部１１１ｆの内壁に全周に亘って接している。これにより、フロント部１１１ｆと端板部１１２２ｂとの間に第２共鳴室４２が形成されている。第２共鳴室４２は、ポート１１２２ｃを介して第１共鳴室４１と連通している。
【００２３】
リア部１１１ｒの後端（図示右端）１１１ｃには、円形の蓋１１４が取り付けられている。蓋１１４の外面Ｓｃは、耳装着体１０の球形の表面Ｓの一部をなす。蓋１１４の外面Ｓｃは、自然状態におけるキャップ１２の表面Ｓａと同じ曲率の部分球面である。蓋１１４とリア部１１１ｒとは強固且つ気密に互いに固定されている。蓋１１４は、金属又はプラスチックでできている。蓋１１４の中央部には、貫通孔１１４ａが設けられている。貫通孔１１４ａには、紐状体２０の端部が挿入されている。蓋１１４と紐状体２０とは強固且つ気密に互いに固定されている。
【００２４】
リア部１１１ｒの内部空間は、第３共鳴室４３をなす。第３共鳴室４３は、中間部１１１ｍの内部空間４４を介して第２共鳴室４２と連通している。すなわち、第２共鳴室４２と第３共鳴室４３との連通部（内部空間４４）は、くびれている。
【００２５】
（キャップ）
キャップ１２は、略球形の部材である。キャップ１２の外面Ｓａは、耳装着体１０の表面Ｓの大部分を占める、キャップ１２は、スポンジ材で形成されている。キャップ１２に使用されるスポンジ材は、通気性の高い連続気泡構造を有している。その代表例は、高発泡・高通気ウレタンフォームである。キャップ１２は、柔軟性、弾力性及び通気性を有する。キャップ１２は、音を透過させる部材である。キャップ１２は、耳障りな高域成分の音を取り除くアナログフィルターとして機能しうる。
【００２６】
キャップ１２は、バッフルチューブ１３及びプロテクタ１１３が取り付けられている状態の音響ユニット１１を覆う。キャップ１２とバッフルチューブ１３と蓋１１４とを組み合わせることにより、蓋１１４の中央部を除き、略球形状をなす。音響ユニット１１の放音部１１ａ及び側部１１ｓは、キャップ１２で覆われる。キャップ１２は、音響ユニット１１を外耳道８４の内壁８６から離して支持する（図４参照）。
【００２７】
（バッフルチューブ）
バッフルチューブ１３は、音響ユニット１１とキャップ１２との間に存在する。バッフルチューブ１３は、音響ユニット１１に環装（外装）されている。バッフルチューブ１３は、音響ユニット１１との間に空気室５０を形成する。バッフルチューブ１３は、音響ユニット１１の外周面１１ｂ（この例では、リア部１１１ｒ及び中間部１１１ｍの外周面）に全周に亘って接触する柔軟な環状の部材である。空気室５０は、音響ユニット１１の外周面１１ｂ（この例では、フロント部１１１ｆの外周面）とバッフルチューブ１３の内周面１３ｄとにより画成される。
【００２８】
バッフルチューブ１３は、リア部１１１ｒの最外径部からプロテクタ１１３の中間部に延びている。バッフルチューブ１３のリア部１１１ｒ側の端部１３ｂの外面Ｓｂは、キャップ１２で覆われない。当該外面Ｓｂは、耳装着体１０の球形の表面Ｓの一部をなす。当該外面Ｓｂは、自然状態におけるキャップ１２の外面Ｓａと同じ曲率の部分球面である。
【００２９】
バッフルチューブ１３の先端部（図示左端部）１３ａは開口している。バッフルチューブ１３の先端部１３ａとプロテクタ１１３との間には、環状の狭い隙間が形成されている。これにより、空気室５０は、音響ユニット１１の放音部１１ａと連通している。バッフルチューブ１３のリア部１１１ｒ側の端部１３ｂは、全周に亘ってリア部１１１ｒに気密に接している。端部１３ｂには、内側に向けて環状の返し部１３ｃが設けられている。返し部１３ｃが、リア部１１１ｒの半球殻に倣って面接触することにより、バッフルチューブ１３とリア部１１１ｒとの間の気密性が保たれている。返し部１３ｃは、中間部１１１ｍに達している。
【００３０】
バッフルチューブ１３は、ユニットケーシング１１１よりも遙かに軟らかい。バッフルチューブ１３は、キャップ１２と同等の柔軟性を有する。バッフルチューブ１３は、外力が加わると容易に変形する。バッフルチューブ１３は、外力が加わらなくなると、自然状態の形状に復元する。図２に示されているバッフルチューブ１３の形状は、自然状態の形状である。
【００３１】
バッフルチューブ１３は、弾力性を有する。バッフルチューブ１３は、エラストマでできている。エラストマの例として、シリコーンゴムを挙げることができる。エラストマでできたバッフルチューブ１３とスポンジ材（発泡ウレタンフォーム、発泡シリコーン、等）でできたキャップ１２との間には、比較的大きい摩擦力が働く。その摩擦力が音響ユニット１１とキャップ１２との相対移動を難くしている。これにより、音響ユニット１１に対するキャップ１２の位置ずれ、及び音響ユニット１１からのキャップ１２の不用意な離脱或いは望まない離脱が防止される。
【００３２】
（コントローラ）
図１に示すように、コントローラ３０は、ケーシング３３を有する。ケーシング３３は、プラスチックでできている。バッテリ３１及び無線モジュール３２は、ケーシング３３に収容されている。ケーシング３３の紐状体２０の短尺部２０Ａが接続されている側の端部には、音入口３３ａが開口している。
【００３３】
バッテリ３１は、無線モジュール３２に電力を供給する。バッテリ３１は、一次電池または二次電池である。
【００３４】
（無線モジュール）
図３に示すように、無線モジュール３２は、拾音部３２１と通信部３２２と操作部３２３と制御部３２４とを有する。
【００３５】
拾音部３２１は、収容体３０の外部の音声を、音入口３３ａを通して拾音し、拾音信号（電気信号）を出力する。出力された拾音信号は、通信部３２２に入力される。拾音部３２１は、通話時に送話器の働きをする。
【００３６】
通信部３２２は、図示しない通信器（オーディオプレイヤ、スマートフォン、等、オーディオコンテンツ提供装置）から無線送信された信号を受信する。受信部と図示しない送信器との間の通信プロトコルとして、Ｗｉ−Ｆｉ（登録商標）、ブルートゥース（登録商標）、または他のプロトコルを使用することができる。
【００３７】
通信部３２２は、右音声出力端子３２２Ｒと左音声出力端子３２２Ｌとを有する。通信部３２２は、受信した信号を増幅し、増幅した受信信号から右音声用の駆動信号（右音声信号）と左音声用の駆動信号（左音声信号）とを生成する処理を実行する。右音声信号は、右音声出力端子３２２Ｒから出力され、紐状体２０の導線２０１を通じて、一方の耳装着体１０（例えば、耳装着体１０Ａ）のドライバユニット１１２に入力される。左音声信号は、左音声出力端子３２２Ｌから出力され、紐状体２０の導線２０１を通じて、他方の耳装着体１０（例えば、耳装着体１０Ｂ）のドライバユニット１１２に入力される。各ドライバユニット１１２は、入力された右音声信号及び左音声信号をそれぞれ右音声と左音声とに変換して出力する。
【００３８】
また、通話時には、通信部３２２は、拾音部３２１から入力された拾音信号を信号処理し、図示しない通信器に送信する。通話時には、耳装着体１０は、受話器の働きをする。
【００３９】
操作部３２３は、オン／オフボタン３２３Ａと増大ボタン３２３Ｂと減少ボタン３２３Ｃとを有する。オン／オフボタン３２３Ａと増大ボタン３２３Ｂと減少ボタン３２３Ｃは、ケーシング３２に設けられた開口部から露出している。オン／オフボタン３２３Ａは、バッテリ３１からの電力の供給をオンオフするための操作子である。増大ボタン３２３Ｂは、通信部３２２による電気信号の出力を増大させるための操作子である。減少ボタン３２３Ｃは、通信部３２２による電気信号の出力を減少させるための操作子である。
【００４０】
制御部３２４は、操作部３２３に対してなされる基本操作に応じて、バッテリ３１からの電力の供給をオン／オフさせたり、通信部３２２による電気信号の出力を増減させたりする。基本操作は、オン／オフボタン３２３Ａと増大ボタン３２３Ｂと減少ボタン３２３Ｃを、それぞれ単独で所定時間押圧する操作である。
【００４１】
また、制御部３２４は、操作部３２３に対してなされる付加操作に応じて、着信に応答する、通話状態を終了させる、リダイヤルする、楽曲の再生を開始する、次の曲へ切り替える、等の処理を実行する。付加操作には、オン／オフボタン３２３Ａ、増大ボタン３２３Ｂ及び減少ボタン３２３Ｃを、それぞれ単独で、基本操作とは異なる所定時間押圧する操作が含まれる。付加操作には、オン／オフボタン３２３Ａ、増大ボタン３２３Ｂ及び減少ボタン３２３Ｃを、それぞれ単独で、所定回数連続押しする操作が含まれる。なお、制御部３２４は、着信時にいずれかのボタンが操作された場合には、直ぐに着信応答（通話開始処理）を実行する。
【００４２】
上記のように構成された第１実施形態のイヤホン１Ａは、図４に示すように、キャップ１２が外耳道８４に嵌まることにより、音響ユニット１１と外耳道８４の内壁８６との間に、バッフルチューブ１３とキャップ１２とが介在する。これにより、音響ユニット１１は、外耳道８４の内壁８６から離して支持される。音響ユニット１１は、放音部１１ａを外耳道８４内に向けて配置される。音響ユニット１１の放音部１１ａは、外耳道８４内の入口８５付近に配置される。そして、音響ユニット１１から発せられた音がキャップ１２を放射状に透過して外耳道８４内に放音される。音導管９５３及びイヤピース９５４（図８参照）が存在しないため、外耳道８４内の入口８５付近にて音響ユニット１１から発せられた再生音が、キャップ１２を透過して外耳道８４の皮膚やその周辺の骨に伝達される。
【００４３】
よって、第１実施形態のイヤホン１Ａによれば、音響ユニット１１から発せられた音を、外耳道８４周辺の音を感じる部分の能力を最大限に活用して、自然な音響として認知することができる。
【００４４】
また、第１実施形態のイヤホン１Ａによれば、ドライバユニット１１２の放音部としての振動板１１２１ａが外耳道８４内の入口８５付近に配置されるので、ドライバユニット１１２から発せられる音を効率良く外耳道８４に導くことができる。よって、小寸（小出力）のドライバユニット１１２を使用しているにもかかわらず、その再生音を自然な音響として認知できる。
【００４５】
また、第１実施形態のイヤホン１Ａは、音導管９５３（図８参照）を使用しないため、ドライバユニット１１２から聴覚器官に伝達される音域が制限されない。よって、ドライバユニット１１２の性能を十分に発揮させることができる。
【００４６】
また、第１実施形態によれば、キャップ１２とバッフルチューブ１３と蓋１１４とを組み合わせてなるほぼ完全な球形状の耳装着体１０を備えた斬新なデザインのイヤホン１Ａを実現し得る。
【００４７】
また、第１実施形態のイヤホン１Ａは、耳装着体１０の球形の表面Ｓの大部分を柔軟なキャップ１２の外面Ｓａが占めるので、多くの人の外耳道８４にフィットし易い。また、耳８０に対する音響ユニット１１の角度が多少変化しても、外耳道８４の内壁８６と音響ユニット１１との間に、キャップ１２及びバッフルチューブ１３が介在しているので、音響ユニット１１が外耳道８４の内壁８６から離して支持される。
【００４８】
また、第１実施形態のイヤホン１Ａは、耳８０に接触する部分がキャップ１２だけであり且つキャップ１２が柔軟なスポンジ材からなるので、耳８０への装着感が良好で、長時間着けていても耳８０に痛みが生じにくい。
【００４９】
また、第１実施形態のイヤホン１Ａは、外耳道８４に嵌まるキャップ１２が通気性を有するスポンジ材からなるので、外耳道８４を気密に密閉しない。このためタッチノイズが発生しにくい。
【００５０】
また、第１実施形態のイヤホン１Ａは、左右の耳８０にそれぞれ装着される一対の耳装着体１０が、互いに同形状且つ同寸法であるので、右耳用と左耳用とで形状が互いに異なる一対の装着体を備える場合と比較して、製造コストを低減できる。
【００５１】
また、第１実施形態のイヤホン１Ａは、音響ユニット１１とキャップ１２との間にバッフルチューブ１３が存在するので、外耳道８４を気密に密閉しないにもかかわらず、中低音再現性が良い。外耳道８４外への音漏れが抑制されるからである。また、バッフルチューブ１３の内部空間が空気室５０をなすので、中低音再現性が更に良好である。バッフルチューブ１３は、空気室５０内の空気を音響ユニット１１から発せられた音に共振させることで、中低音域の音響増幅器（受動増幅器）として機能し得る。そして、バッフルチューブ１３は、外耳道８４内へ効率的に音を反響させる「バッフル」として機能する。
【００５２】
また、第１実施形態のイヤホン１Ａは、バッフルチューブ１３の先端部１３ａとプロテクタ１１３との間に環状の狭い隙間が形成されていることで、放音部１１ａから放音され音響ユニット１１の後方（外耳道８４の外側）に回り込む音が空気室５０内に伝達し易くなる。そして、バッフルチューブ１３のリア部１１１ｒ側の端部１３ｂが全周に亘ってリア部１１１ｒに気密に接していることで、空気室５０内に伝達した音が空気室５０の後方（外耳道８４の外側）に伝達し難くなる。これにより、外耳道８４外への音漏れがより効果的に抑制され、中低音再現性がより良好となる。
【００５３】
また、第１実施形態のイヤホン１Ａは、音響ユニット１１とキャップ１２との間に存在する柔軟なバッフルチューブ１３がクッションとしての役割も果たすので、キャップ１２とバッフルチューブ１３との相乗作用により、従来のイヤホンでは体感し得ない極めて良好な装着感を実現し得る。
【００５４】
また、第１実施形態のイヤホン１Ａは、第１共鳴室４１と第２共鳴室４２と第３共鳴室４３とを備え、第１共鳴室４１と第２共鳴室４２とが細い通路（ポート１１２２ｃ）で結ばれているので、低音が増幅される。そして、第２共鳴室４２と第３共鳴室４３とが細い通路（内部空間４４）で結ばれているので、低音が更に増幅される。
【００５５】
また、第１実施形態のイヤホン１Ａは、バッフルチューブ１３の端部１３ｂの外面Ｓｂが露出しているので、空気室５０の存在を外部から認識させうる。バッフルチューブ１３の材質に、例えば半透明のシリコーンゴムを使用することにより、空気室５０の存在を外部からより認識し易くできる。このように、第１実施形態によれば、空気室５０を備えた斬新な構造のイヤホン１Ａが実現される。また、バッフルチューブ１３を外部から視認しうる構造を採用することで、高い音響性能と機能美とを兼ね備えた斬新なイヤホン１Ａを実現し得る。
【００５６】
なお、図４には表現されていないが、バッフルチューブ１３は、耳８０に装着したときに、キャップ１２と共に外側から圧縮される。
【００５７】
［その他の実施形態］
以下、その他の実施の形態について説明する。以下の説明では、既に説明した実施形態と同一又は機能的に共通の構成要素については、同じ符号を付して説明を省略する。
【００５８】
図５に示す第２実施形態のイヤホン１Ｂは、一対の耳装着体１０同士を磁力で連結させるための磁性体６０を備えている。磁性体６０は、蓋１１４の裏面に固定されて、第３共鳴室４３内に設けられている。その他の構成は、第１実施形態と同じである。磁性体６０は、円環状の部材である。磁性体６０は、紐状体２０に環装されている。一方の耳装着体１０（例えば、耳装着体１０Ａ）に設けられた磁性体６０は、永久磁石である。他方の耳装着体１０（例えば、耳装着体１０Ｂ）に設けられた磁性体６０は、永久磁石又は鉄などの強磁性体である。当該永久磁石には、フェライト磁石、ネオジウム磁石、等、が含まれる。
【００５９】
第２実施形態によれば、両耳装着体１０同士を磁力で連結させることにより、イヤホン１Ｂを環状に保つことができるので、イヤホン１Ｂをネックレスのようにユーザの首に装着することができる。また、イヤホン１Ｂをユーザの手首に巻き、両耳装着体１０同士を磁力で連結させることにより、イヤホン１Ｂをユーザの手首に安定に装着できる。その他の作用・効果は第１実施形態と同様である。
【００６０】
図６に示す第３実施形態のイヤホン１Ｃは、コントローラ３０（図１参照）を備えていない。一対の耳装着体１０は、コントローラ３０の機能を分担している。その他の構成は、第１実施形態又は第２実施形態と同じである。
【００６１】
第３実施形態によれば、一対の球形の耳装着体１０と両耳装着体１０同士を連結する紐状体２０とからなる、極めてシンプル且つ斬新なイヤホン１Ｃが実現される。第３実施形態のイヤホン１Ｃは、一対の耳装着体１０の間にコントローラ３０が存在しないので、ユーザの手首などに巻き付けて装着し易い。その他の作用・効果は第１実施形態又は第１実施形態と同様である。
【００６２】
なお、本発明の実施形態は上記の実施形態に限定されるものではなく、本発明の技術的思想の趣旨を逸脱しない範囲において様々に変更、置換、変形されてもよい。
【００６３】
例えば、第１実施形態のイヤホン１Ａ及び第２実施形態のイヤホンＢは、紐状体２０の長さ方向中心から片寄った位置にコントローラ３０が設けられているが、紐状体２０の長さ方向中心部にコントローラ３０が設けられてもよい。
【００６４】
また、上記実施形態のイヤホン１Ａ乃至１Ｃは、紐状体２０が両耳装着体１０に常時接続されているが、両耳装着体１０にリケーブル用の端子を設け、当該端子に任意の紐状体２０を接続するようにしてもよい。
【００６５】
また、上記実施形態のイヤホン１Ａ乃至１Ｃは、バッフルチューブ１３の先端部１３ａとプロテクタ１１３との間に、環状の狭い隙間が形成されているが、当該隙間は必須の構成要素ではない。当該隙間が存在しなくても或いは当該隙間が存在しない方が、中低音再現性を高める上で有利である可能性もある。また、バッフルチューブ１３とフロント部１１１ｆとにより密閉構造の空気室５０を形成してもよい。音響ユニット１１から発せられた音に密閉構造の空気室５０内の空気が共振する構造により、バッフルチューブ１３がより高性能な音響増幅器として機能し得る可能性がある。
【００６６】
また、上記実施形態のイヤホン１Ａ乃至１Ｃは、第１共鳴室４１を備えているが、第１共鳴室４１は必須の構成要素ではない。
【００６７】
また、上記実施形態のイヤホン１Ａ乃至１Ｃは、第２共鳴室４２を備えているが、第２共鳴室４２は必須の構成要素ではない。
【００６８】
また、上記実施形態のイヤホン１Ａ乃至１Ｃは、第３共鳴室４３及び内部空間４４を備えているが、第３共鳴室４３及び内部空間４４は必須の構成要素ではない。
【００６９】
また、上記実施形態のイヤホン１Ａ乃至１Ｃは、第１エンクロージャとしてのドライバケーシング１１２２を備えているが、ドライバケーシング１１２２は必須の構成要素ではない。すなわち、音響ユニット１１がドライバユニット１１２自体を構成してもよい。
【００７０】
また、上記実施形態のイヤホン１Ａ乃至１Ｃにおいて、空気室５０の紐状体２０側の空間（図示右側の空間）に音響振動吸収層を設けてもよい。空気室５０に音響振動吸収層を設けることで、バッフルチューブ１３による外耳道８４外への音漏れ防止性能を高めることができる。音響振動吸収層の素材の例として、株式会社タイカにより開発されたαGEL（登録商標）を挙げることができる。αGEL（登録商標）は、シリコーンを主成分とする軟らかいゲル状の素材である。
【００７１】
また、上記実施形態では、キャップ１２としてスポンジ材からなる部材を用いているが、弾力性、柔軟性及び通気性を有する部材であれば、スポンジ材からなる部材に限らない。
【００７２】
また、上記実施形態では、振動板１１２１ａが外耳道８４内の入口８５付近に配置される装着態様（図４）を例示したが、それ以外の装着態様とすることも可能である。本発明に係る音響装置の装着態様には、振動板１１２１ａが外耳道８４の丁度入口８５に配置される装着態様が含まれる。本発明に係る音響装置の装着態様には、振動板１１２１ａが外耳道８４外の入口８５付近に配置される装着態様が含まれる。
【００７３】
また、上記実施形態では、ドライバユニット１１２の放音部として振動板１１２１ａを例示したが、放音部は振動板１１２１ａに限らない。ドライバユニット１１２の放音部は、音声発生源となる振動体から発せられた音の出口（窓）であってもよい。すなわち、ドライバユニット１１２は、ダイナミック型に限らず、バランスド・アーマチュア型でもよい。また、ドライバユニット１１２は、低域用、中域用、高域用、等、音響特性の異なる複数の電気音響変換素子１１２１を備えてもよい。
【００７４】
また、第１実施形態のイヤホン１Ａでは、コントローラ３０がバッテリ３１を備えているが、バッテリ３１を収容したバッテリケーシングを、コントローラ３０とは別に紐状体２０の中間部に備えてもよい。
【００７５】
また、上記実施形態では、介在部材としてチューブ状の部材（バッフルチューブ１３）を用いているが、これに代えて、音響ユニット１１を包囲するトーラス状の柔軟な中空部材（バッフルトーラス）を用いてもよい。バッフルトーラスは、ユニットケーシング１１１のフロント部材１１１ｆとリア部材１１１ｒとの間の括れた部分に取り付けることで、音響ユニット１１に安定に保持される。
【００７６】
また、上記実施形態では、介在部材を「バッフルチューブ」と称したが、空気室５０を有するものという意味で「エアチューブ」と称してもよい。同じ趣旨で、「バッフルトーラス」を「エアトーラス」と称してもよい。また、介在部材を、クッションとして働くものという意味で「エアクッション」或いは「クッションチューブ」と称してもよい。
【００７７】
また、上記実施形態では、音響装置の実施形態の例として、イヤホンの形態例を示したが、本発明に係る音響装置には、イヤホン以外の音響装置も含まれる。イヤホン以外の音響装置の例として、補聴器、インカム、等、マイクを備えた機器を挙げることができる。
【００７８】
［総括］
本明細書には少なくとも以下の事項が記載されている。なお、括弧内には、上記した実施形態において対応する構成要素等を示しているが、これに限定されるものではない。
【００７９】
（１）  左右の耳（耳８０）にそれぞれ装着される一対の球形の耳装着体（耳装着体１０、１０Ａ、１０Ｂ）と、
両耳装着体を互いに連結する紐状体（紐状体２０）と、を有し、
前記紐状体は、前記耳装着体の球形の表面（表面Ｓ）から延びており、
前記耳装着体は、
音響ユニット（音響ユニット１１）と、皮膚接触部材（キャップ１２）と、介在部材（バッフルチューブ１３）と、を有し、
前記音響ユニットは、少なくともその放音部（放音部１１ａ）及び側部（側部１１ｓ）が前記皮膚接触部材で覆われており、
前記皮膚接触部材は、柔軟性、弾力性及び通気性を有し、且つ、音を透過させる部材で
あり、
前記介在部材は、前記音響ユニットに環装されて、前記皮膚接触部材と前記音響ユニットとの間に存在し、前記皮膚接触部材との間の摩擦力により前記音響ユニットと前記皮膚接触部材との相対移動を難くし、
前記皮膚接触部材が外耳道（外耳道８４）に嵌まることにより、前記音響ユニットが当該外耳道の内壁（内壁８６）から離して支持される、音響装置（音響装置１Ａ、１Ｂ、１Ｃ）。
【００８０】
（１）の音響装置は、皮膚接触部材が柔軟性、弾力性及び通気性を有する部材であるので、耳への装着感が良好で、長時間着けていても耳に痛みを生じさせ難い。
（１）の音響装置は、外耳道に嵌まる部分が球形の耳装着体であるので、多くの人の外耳道にフィットし易い。
（１）の音響装置は、皮膚接触部材との間の摩擦力により音響ユニットと皮膚接触部材との相対移動を難くする介在部材を備えているので、音響ユニットに対する皮膚接触部材の位置ずれ、及び音響ユニットからの皮膚接触部材の不用意な離脱或いは望まない離脱が防止される。
【００８１】
（２）  （１）の音響装置において、
前記一対の球形の耳装着体は、互いに同形状且つ同寸法である、音響装置。
【００８２】
（２）の音響装置は、左右の耳にそれぞれ装着される一対の耳装着体が、互いに同形状且つ同寸法であるので、右耳用と左耳用とで形状が互いに異なる一対の耳装着体を備える場合と比較して、製造コストを低減できる。
【００８３】
（３）  （１）又は（２）の音響装置において、
前記皮膚接触部材の外面（外面Ｓａ）は、前記耳装着体の表面の大部分を占める、音響装置。
【００８４】
（３）の音響装置は、柔軟性、弾力性及び通気性を有する部材である皮膚接触部材の外面が、耳装着体の表面の大部分を占めるので、耳への装着感が良好である。
【００８５】
（４）  （１）乃至（３）のいずれかの音響装置において、
前記皮膚接触部材は、スポンジ材からなる、音響装置。
【００８６】
（４）の音響装置は、耳に接触する部分がスポンジ材からなる部材だけであるので、耳への装着感が良好で、長時間着けていても耳に痛みが生じにくい。
【００８７】
（５）  （４）の音響装置において、
前記介在部材は、前記エラストマでできている、音響装置。
【００８８】
（５）の音響装置は、介在部材がエラストマでできているので、スポンジ材からなる皮膚接触部材とエラストマでできた介在部材との間に働く比較的大きい摩擦力により、音響ユニットと皮膚接触部材との相対移動を難くすることができる。
【００８９】
（６）  （１）乃至（５）いずれかの音響装置において、前記紐状体は、導線を有するコードである、音響装置。
【００９０】
（６）によれば、左右の耳にそれぞれ装着される一対の球形の耳装着体が、導線を有するコードで互いに連結される。
【００９１】
（７）  （６）の音響装置において、前記紐状体の中間部には、コントローラ（コントローラ３０）が設けられている、音響装置。
【００９２】
（７）の音響装置は、紐状体の中間部に設けられたコントローラにより操作できる。
【００９３】
（８）  （７）の音響装置において、
前記コントローラは、
前記コードの長さ方向中心部をユーザの頸部の基部後方に配置して、前記一対の耳装着体を当該ユーザの左右の耳にそれぞれ装着した状態において、当該ユーザの一方の肩に載せ得るように、前記コードの長さ方向中心から片寄った位置に設けられている、音響装置。
【００９４】
（８）によれば、コントローラの加重をユーザの一方の肩で受けることができる。
【００９５】
（９）  （１）乃至（８）のいずれか１の音響装置において、
前記一対の耳装着体は、両耳装着体同士を磁力で連結させるための磁性体（磁性体６０）を備えている音響装置。
【００９６】
（９）によれば、両耳装着体同士を磁力で連結させることにより、音響装置を環状に保つことができる。
【００９７】
（１０）  （８）の音響装置において、前記コントローラはバッテリ（バッテリ３１）を備えている、音響装置。
【００９８】
（１０）によれば、バッテリを備えたコントローラの加重をユーザの一方の肩で受けることができる。
【００９９】
（１１）の音響装置は、（１）乃至（１０）のいずれか１の音響装置において、
前記電気音響変換素子を収容する第１エンクロージャ（ドライバケーシング１１２２）と、
前記第１エンクロージャを収容する第２エンクロージャ（ユニットケーシング１１１）と、を更に有し、
前記第１エンクロージャは、前記電気音響変換素子との間に第１共鳴室（第１共鳴室４１）を形成し、
前記第２エンクロージャは、前記第１エンクロージャとの間に第２共鳴室（第２共鳴室４２）を形成し、
前記第１エンクロージャには、前記第１共鳴室と前記第２共鳴室とを互いに連通させるポート（ポート１１２２ｃ）が設けられている、音響装置。
【０１００】
（１１）の音響装置は、第１共鳴室及び第２共鳴室により低音が増幅されるので、中低音再現性がより良い。
【０１０１】
（１２）  （１１）の音響装置において、
前記第２エンクロージャの内部には、前記第２共鳴室と連通する第３共鳴室（第３共鳴室４３）が形成されている、音響装置。
【０１０２】
（１２）の音響装置は、第２共鳴室および第３共鳴室により低音が更に増幅されるので、中低音再現性が更に良い。
【０１０３】
（１３）  （１２）の音響装置において、
前記第２エンクロージャにおける前記第２共鳴室と前記第３共鳴室との連通部（内部空間４４）は、くびれている、音響装置。
【０１０４】
（１３）の音響装置は、第２共鳴室と第３共鳴室との連通部における空気の粘性の変化により低音が更に増幅されるので、中低音再現性が更に良い。
【符号の説明】
【０１０５】
１Ａ、１Ｂ、１Ｃ  イヤホン（音響装置）
１０Ａ、１０Ｂ  耳装着体
１０  耳装着体
１１  音響ユニット
１１ａ  放音部
１１ｂ  外周面
１１１  ユニットケーシング（第２エンクロージャ）
１１１ｂ  嵌合部
１１１ｃ  後端
１１１ｆ  フロント部
１１１ｍ  中間部
１１１ｒ  リア部
１１２  ドライバユニット
１１２１  電気音響変換素子
１１２１ａ  振動板
１１２１ｂ  電気機械結合系
１１２２  ドライバケーシング（第１エンクロージャ）
１１２２ａ  円筒部
１１２２ｂ  端板部
１１２２ｃ  ポート
１１３  プロテクタ
１１４  蓋
１１４ａ  貫通孔
１２  キャップ（皮膚接触部材）
１３  バッフルチューブ（介在部材）
１３ａ  先端部
１３ｂ  端部
１３ｃ  返し部
１３ｄ  内周面
２０  紐状体
２０Ａ  短尺部
２０Ｂ  長尺部
２０１  導線
２０２  半田付け
３０  コントローラ
３１  バッテリ
３２  無線モジュール
３２１  拾音部
３２２  通信部
３２３  操作部
３２４  制御部
３２３Ａ  オン／オフボタン
３２３Ｂ  増大ボタン
３２３Ｃ  減少ボタン
３３  ケーシング
３３ａ  音入口
４１  第１共鳴室
４２  第２共鳴室
４３  第３共鳴室
４４  内部空間
５０  空気室
８０  耳
８５  入口
８４  外耳道
８６  内壁
Ｓ  表面
Ｓａ  外面
Ｓｂ  外面
Ｓｃ  外面
【図１】
2019080338.tif 000003
【図２】
2019080338.tif 000004
【図３】
2019080338.tif 000005
【図４】
2019080338.tif 000006
【図５】
2019080338.tif 000007
【図６】
2019080338.tif 000008
【図７】
2019080338.tif 000009
【図８】
2019080338.tif 000010